(57)【特許請求の範囲】
【請求項１】
かご室のかご床の縁部に設けられた幅木と、
上記幅木の上部に空隙を形成して立設された上記かご室の側壁と、を備え、
上記側壁の下部には、
上記側壁の下面として上記かご室の内側から外側へ延長された側壁外側延長部と、
上記側壁の外面として上記側壁外側延長部の外側端から上方へ延長された側壁上方延長部と、が一体に形成されており、
上記幅木は、
上記かご床の縁部に立設された縁部立面と、
上記縁部立面の上端から上記かご室の外側へ延長されて上記側壁外側延長部に対面し、上記側壁外側延長部との間に側方換気路を形成する幅木外側延長部と、
上記幅木外側延長部の外側端から上方へ延長されて上記側壁上方延長部に対面し、上記側壁上方延長部との間に上端が上方に開口し下端が上記側方換気路に接続した上方換気路を形成する幅木上方延長部と、が一体に形成されていること、
を特徴とするエレベーターのかご室装置。
【請求項２】
上記側壁には、横側面としてその一部が上記かご室の外側へ延長された外面部材が形成されており、
上記外面部材を含む縦断面において、上記幅木上方延長部の上記上方換気路側の面は上記外面部材の外側端よりも上記かご室側に引退していること、
を特徴とする請求項１記載のエレベーターのかご室装置。
【請求項３】
側方換気路又は上方換気路に配置され、加熱されて膨張し上方換気路を閉塞する閉塞装置と、要時に動作して上記閉塞装置の膨張を指令する制御装置とを備えたことを特徴とする請求項１〜請求項２のいずれか一つに記載のエレベーターのかご室装置。
【請求項４】
側壁の上端を覆って設けられた天井板と、この天井板に配置されて上記天井板に設けられた通気孔に対向して配置された換気扇と、この換気扇の装着部に形成された上記通気孔に通じる空気流路を閉塞する換気扇閉塞装置と、要時に動作して上記換気扇閉塞装置
の閉塞動作を指令する制御装置とを備えたことを特徴とする請求項１〜請求項３のいずれか一つに記載のエレベーターのかご室装置。
【請求項５】
縁部立面の外面と幅木外側延長部の基部下面とによって形成される入隅部を塞いだ形状に設けられた塞ぎ面を備えたことを特徴とする請求項１〜請求項４のいずれか一つに記載のエレベーターのかご室装置。
【発明の詳細な説明】
【０００１】
【発明の属する技術分野】
この発明は、側板等の囲い体に換気用の空隙が設けられたエレベーターのかご室装置に関する。
【０００２】
【従来の技術】
図９及び図１０は、例えば実開平４−１９５６８号公報に示された構成に類似した従来のエレベーターのかご室装置を示す図で、図９はかご室の縦断面図、図１０は図９のＡ部拡大図である。図において、１はかご室のかご床、２はかご床１の縁部に立設された幅木、すなわち縁部立面、３は縁部立面２の上端に設けられたフランジ状部である。
【０００３】
４はフランジ状部３に間隔片５を介して立設されたかご室の側壁、６は間隔片５によって縁部立面２と側壁４との間に形成された空隙、７は側壁４の上端を覆って設けられた天井板、８は天井板７の上面に設けられた換気扇で、天井板７に設けられた通気孔９に対向して配置されている。１０はかご床１、側壁４及び天井板７を主要部材、すなわち囲い体として構成されたかご室である。
【０００４】
従来のエレベーターのかご室装置は上記のように、かご床１、側壁４及び天井板７によって箱状のかご室１０が構成される。そして、換気孔６及び換気扇８によってかご室１０内が換気される。これにより、かご室１０内の異臭等を排除して快適性を向上するようになっている。
【０００５】
【発明が解決しようとする課題】
上記のような従来のエレベーターのかご室装置では、エレベーターが設置された建物の火災等による煙がエレベーター昇降路（図示しない）に入った場合に、上昇する煙が図１０に示す矢印Ｂの方向に流れて一部がかご室１０内に侵入するという問題点があった。なお、火災報知器の動作を介して換気扇８によってかご室内空気を排気するようにした場合には、かご室の隙間から煙の侵入を助長することになる。
【０００６】
この発明は、かかる問題点を解消するためになされたものであり、火災等による昇降路内の煙がかご室へ侵入することを簡易な構成によって防ぐことができるエレベーターのかご室装置を得ることを目的とする。
【０００７】
【課題を解決するための手段】
この発明に係るエレベーターのかご室装置においては、かご室のかご床の縁部に設けられた幅木と、幅木の上部に空隙を形成して立設されたかご室の側壁とを備える。ここで、側壁の下部には、側壁の下面としてかご室の内側から外側へ延長された側壁外側延長部と、側壁の外面として側壁外側延長部の外側端から上方へ延長された側壁上方延長部とが一体に形成される。また、幅木は、かご床の縁部に立設された縁部立面と、縁部立面の上端からかご室の外側へ延長されて側壁外側延長部に対面し、側壁外側延長部との間に側方換気路を形成する幅木外側延長部と、幅木外側延長部の外側端から上方へ延長されて側壁上方延長部に対面し、側壁上方延長部との間に上端が上方に開口し下端が側方換気路に接続した上方換気路を形成する幅木上方延長部とが一体に形成される。
【０００８】
また、この発明に係るエレベーターのかご室装置においては、かご床の縁部に立設された縁部立面と、この縁部立面の上端から外側へ延長された外側延長部と、この外側延長部の上面に立設された側壁と、この側壁の下縁部を貫通して設けられて上部が側壁の外面に突出して開口し、この開口部の突出縁部から下降して側壁面に達する傾斜面が形成された上向き換気路とが設けられる。
【０００９】
また、この発明に係るエレベーターのかご室装置においては、側壁には、横側面としてその一部がかご室の外側へ延長された外面部材が形成される。外面部材を含む縦断面において、幅木上方延長部の上方換気路側の面は外面部材の外側端よりもかご室側に引退していることを特徴とする。
【００１０】
また、この発明に係るエレベーターのかご室装置においては、側方換気路、上方換気路及び上向き換気路のいずれかに配置され、加熱されて膨張し換気路を閉塞する閉塞装置と、要時に動作して閉塞装置の膨張を指令する制御装置とが設けられる。
【００１１】
また、この発明に係るエレベーターのかご室装置においては、側壁の上端を覆って設けられた天井板と、この天井板に配置されて天井板に設けられた通気孔に対向して配置された換気扇と、この換気扇の装着部に形成された通気孔に通じる空気流路を閉塞する換気扇閉塞装置と、要時に動作して換気扇閉塞装置の閉塞動作を指令する制御装置とが設けられる。
【００１２】
また、この発明に係るエレベーターのかご室装置においては、縁部立面の外面と外側延長部の基部下面とによって形成される入隅部を塞いだ形状に配置された塞ぎ面が設けられる。
【００１３】
【発明の実施の形態】
実施の形態１．
図１は、この発明の実施の形態の一例を示す図で、前述の図１０相当図である。なお、図１の他は前述の図９と同様にエレベーターのかご室装置が構成されている。図において、１はかご室のかご床、２はかご床１の縁部に立設された幅木、すなわち縁部立面、１１は外側延長部で、縁部立面２の上端から外側へ延長されて後述する側壁の下面に対向して配置されて、側壁の下面との間に側方換気路１２を形成する。
【００１４】
１３は上方延長部で、外側延長部１１の外側端から上方へ延長されて側壁の外面に対向して配置されて、上端が上方に開口して外気に連通し下端は側方換気路１２に接続した上方換気路１４を側壁の外面との間に形成する。
４は外側延長部１１に間隔片５を介して立設されたかご室の側壁である。
【００１５】
上記のように構成されたエレベーターのかご室装置において、前述の図９及び図１０のエレベーターのかご室装置と同様にかご床１、側壁４及び天井板７によって箱状のかご室１０が構成される。そして、かご床１の縁部立面２における外側延長部１１によって形成された側方換気路１２、上方延長部１３によって形成されて上方に開口した上方換気路１４及び換気扇８によってかご室１０内が換気される。
【００１６】
このような構成によって、エレベーターが設置された建物の火災等による煙がエレベーター昇降路に入った場合に、上昇する煙が図１に示す矢印Ｃの方向に流れるので、上方換気路１４等からかご室１０内に昇降路の煙が入ることを防止できる。このように、簡易な装置構成によってかご室１０内に侵入する不具合を防ぐことができる。また、側方換気路１２及び上方換気路１４によって縦断面においてＬ字状に屈折した換気路が形成される。このため、上方換気路１４等を経てかご室１０に入るかご室１０外騒音を少なくすることができ、かご室１０内を静粛化することができる。
【００１７】
実施の形態２．
図２は、この発明の他の実施の形態の一例を示す図で、前述の図１相当図である。なお、図２の他は前述の図９と同様にエレベーターのかご室装置が構成されている。図において、図１と同符号は相当部分を示し、１５は塞ぎ面で、前述の図１における外側延長部１１の基部下面の入隅部を緩やかな曲面によって塞ぐ形状に設けられている。
【００１８】
上記のように構成されたエレベーターのかご室装置において、前述の図９及び図１０のエレベーターのかご室装置と同様にかご床１、側壁４及び天井板７によって箱状にかご室１０が構成される。そして、側方換気路１２及び上方換気路１４によって縦断面においてＬ字状に屈折した換気路が形成される。したがって、詳細な説明を省略するが図２の実施の形態においても図１の実施の形態と同様な作用が得られる。
【００１９】
また、図２の実施の形態において外側延長部１１の基部下面の入隅部を塞ぐ塞ぎ面１５が設けられている。このため、火災等によりエレベーター昇降路に入って上昇する煙が図２に示す矢印Ｄのように乱流を生じることなく滑らかに流れる。これによって、昇降路の煙がかご室１０内に侵入する不具合を一層有効に防ぐことができる。
【００２０】
実施の形態３．
図３も、この発明の他の実施の形態の一例を示す図で、前述の図１相当図である。なお、図３の他は前述の図９と同様にエレベーターのかご室装置が構成されている。図において、図１と同符号は相当部分を示し、４は縁部立面２のフランジ状部３に直接に立設されたかご室の側壁、１６は上向き換気路で、側壁４の下縁部を貫通して設けられて上部が側壁４の外面に突出して開口し、この開口部の突出縁部から下降して側壁４内面に達する傾斜面が形成されている。
【００２１】
上記のように構成されたエレベーターのかご室装置において、前述の図９及び図１０のエレベーターのかご室装置と同様にかご床１、側壁４及び天井板７によって箱状にかご室１０が構成される。そして、側壁４の外面に傾斜面が形成された上向き換気路１６が、側壁４の下縁部に設けられる。このため、エレベーターが設置された建物の火災等によりエレベーター昇降路に入って上昇する煙が図３に示す矢印Ｅの方向に流れる。したがって、簡易な装置構成によって昇降路の煙がかご室１０内に侵入する不具合を防ぐことができる。
【００２２】
実施の形態４．
図４も、この発明の他の実施の形態の一例を示す図で、前述の図１相当図である。なお、図４の他は前述の図９と同様にエレベーターのかご室装置が構成されている。図において、図１と同符号は相当部分を示し、４は下端面幅が狭く形成されたかご室の側壁、１３は上方延長部で外面が、側壁４の外面部材よりも引退した位置に配置されている。
【００２３】
上記のように構成されたエレベーターのかご室装置において、前述の図９及び図１０のエレベーターのかご室装置と同様にかご床１、側壁４及び天井板７によって箱状にかご室１０が構成される。そして、側方換気路１２及び上方換気路１４によって縦断面においてＬ字状に屈折した換気路が形成される。したがって、詳細な説明を省略するが図４の実施の形態においても図１の実施の形態と同様な作用が得られる。
【００２４】
また、図４の実施の形態において、上方延長部１３の外面が、側壁４の外面部材よりも引退した位置に配置される。これにより、かご室１０の水平投影面における外形寸法をかご床１の有効面積に対して小さくすることができる。したがって、エレベーター昇降路の横断面積を小さくすることができ、エレベーター設置費を節減することができる。
【００２５】
実施の形態５．
図５及び図６も、この発明の他の実施の形態の一例を示す図で、図５は前述の図１相当図、図６は図５の装置に対応した電気回路の要部を概念的に示す図である。なお、図５及び図６の他は前述の図９と同様にエレベーターのかご室装置が構成されている。図において、図１と同符号は相当部分を示し、１７は火災報知器、１８はエレベーターの制御装置である。
【００２６】
１９は閉塞装置で、上方換気路１４の開口部の水平方向の縁部に沿って設けられた電熱線２０及びこの電熱線２０を被覆して設けられて電熱線２０によって加熱されて膨張する熱膨張物質２１によって構成されている。なお、加熱されて膨張する物質として例えば、加熱されて６０°Ｃ〜１００°Ｃになったときに発泡して膨張する水酸化ソデイウムシリケート、セラミック難燃ゴム複合材料、セラミック・ファイバー複合材料等を使用することができる。
【００２７】
上記のように構成されたエレベーターのかご室装置において、前述の図９及び図１０のエレベーターのかご室装置と同様にかご床１、側壁４及び天井板７によって箱状にかご室１０が構成される。そして、側方換気路１２及び上方換気路１４によって縦断面においてＬ字状に屈折した換気路が形成される。したがって、詳細な説明を省略するが図５及び図６の実施の形態においても図１の実施の形態と同様な作用が得られる。
【００２８】
また、図５及び図６の実施の形態において、建物の火災発生によって火災報知器１７が動作すると制御装置１８を介して閉塞装置１９が付勢される。これによって、通電された電熱線２０が発熱し、熱膨張物質２１が膨張して上方換気路１４を閉塞する。したがって、昇降路の煙がかご室１０内に侵入する不具合を一層有効に防ぐことができる。
【００２９】
実施の形態６．
図７及び図８も、この発明の他の実施の形態の一例を示す図で、図７はかご室の縦断面図、図８は図７の装置に対応した電気回路の要部を概念的に示す図である。図において、前述の図５及び図６の実施の形態と同符号は相当部分を示し、１はかご室のかご床、２はかご床１の縁部に立設された幅木、すなわち縁部立面である。
【００３０】
４は外側延長部１１の上面に間隔片５を介して立設されたかご室の側壁、７は側壁４の上端を覆って設けられた天井板、８は天井板７の上面に設けられた換気扇で、天井板７に設けられた通気孔９に対向して配置されている。１０はかご床１、側壁４及び天井板７を主要部材、すなわち囲い体として構成されたかご室、２２は周知のシャッターからなる換気扇閉塞装置で、要時に換気扇８の装着部に形成された通気孔に連通する空気流路を閉塞する。
【００３１】
上記のように構成されたエレベーターのかご室装置において、側方換気路１２及び上方換気路１４によって縦断面においてＬ字状に屈折した換気路が形成される。したがって、詳細な説明を省略するが図７及び図８の実施の形態においても図１の実施の形態と同様な作用が得られる。
【００３２】
また、図７及び図８の実施の形態において、建物の火災発生によって火災報知器１７が動作すると制御装置１８を介して換気扇閉塞装置２２が付勢される。これによって、換気扇８に関わる通気孔が閉塞される。したがって、昇降路の煙がかご室１０内に侵入する不具合を一層有効に防ぐことができる。
【００３３】
また、エレベーターの高速昇降時に換気扇閉塞装置２２を付勢し、換気扇８に関わる通気孔を閉塞することによって、高速昇降に起因して換気扇８装着部の通気孔を経てかご室１０に入る外部騒音を少なくすることができ、かご室１０内を静粛化することができる。
【００３４】
【発明の効果】
この発明は以上説明したように、かご床の縁部に立設された縁部立面と、この縁部立面の上端との間に空隙を形成して立設された側壁と、縁部立面の上端から外側へ延長されて側壁の下面との間に、側方換気路を形成して対向する外側延長部と、この外側延長部の外側端から上方へ延長されて側壁の外面との間に、上端が上方に開口して外気に連通し下端は側方換気路に接続した上方換気路を形成して対向する上方延長部とを設けたものである。
【００３５】
これによって、かご床の縁部立面の上端部に側方換気路及び上方換気路によって、縦断面においてＬ字状に屈折して上方に開口し外気に連通した換気路が形成される。このため、エレベーターが設置された建物の火災等による煙がエレベーター昇降路に入ったときに、上昇する昇降路の煙がかご室内に侵入する不具合を簡易な装置構成によって防ぐ効果がある。また、上方換気路等を経てかご室に入る外部騒音を少なくすることができ、かご室内を静粛化する効果がある。
【００３６】
また、この発明は以上説明したように、かご床の縁部に立設された縁部立面と、この縁部立面の上端から外側へ延長された外側延長部と、この外側延長部の上面に立設された側壁と、この側壁の下縁部を貫通して設けられて上部が側壁の外面に突出して開口し、この開口部の突出縁部から下降して側壁面に達する傾斜面が形成された上向き換気路とを設けたものである。
【００３７】
これによって、側壁の下縁部に上向き換気路が設けられて側壁の外面に傾斜面が形成される。このため、エレベーターが設置された建物の火災等による煙がエレベーター昇降路に入ったときに、上昇する昇降路の煙がかご室内に侵入する不具合を簡易な装置構成によって防ぐ効果がある。
【００３８】
また、この発明は以上説明したように、上方延長部の外面を、側壁の外面部材よりも引退した位置に配置し、上方延長部の基部に対応して形成された外側延長部の上面を介して側壁を立設したものである。
【００３９】
これによって、かご床の縁部立面の上端部の側方換気路及び上方換気路か、又は側壁の下縁部の上向き換気路によって、上方に開口し外気に連通した換気路が形成される。このため、エレベーターが設置された建物の火災等による煙がエレベーター昇降路に入ったときに、上昇する昇降路の煙がかご室内に侵入する不具合を簡易な装置構成によって防ぐ効果がある。
また、上方延長部の外面が、側壁の外面部材よりも引退した位置に配置される。このため、かご室の水平投影面における外形寸法をかご床の有効面積に対して小さくすることができる。これにより、エレベーター昇降路の横断面積を少なくすることができてエレベーター設置費を節減する効果がある。
【００４０】
また、この発明は以上説明したように、側方換気路、上方換気路及び上向き換気路のいずれかに配置され、加熱されて膨張し換気路を閉塞する閉塞装置と、要時に動作して閉塞装置の膨張を指令する制御装置とを設けたものである。
【００４１】
これによって、かご床の縁部立面の上端部の側方換気路及び上方換気路か、又は側壁の下縁部の上向き換気路によって、上方に開口し外気に連通した換気路が形成される。このため、エレベーターが設置された建物の火災等による煙がエレベーター昇降路に入ったときに、上昇する昇降路の煙がかご室内に侵入する不具合を簡易な装置構成によって防ぐ効果がある。また、建物の火災発生によって制御装置を介して閉塞装置が膨張して換気路を閉塞する。したがって、昇降路の煙がかご室内に侵入する不具合を一層有効に防ぐ効果がある。
【００４２】
また、この発明は以上説明したように、側壁の上端を覆って設けられた天井板と、この天井板に配置されて天井板に設けられた通気孔に対向して配置された換気扇と、この換気扇の装着部に形成された通気孔に通じる空気流路を閉塞する換気扇閉塞装置と、要時に動作して換気扇閉塞装置の閉塞動作を指令する制御装置とを設けたものである。
【００４３】
これによって、かご床の縁部立面の上端部の側方換気路及び上方換気路か、又は側壁の下縁部の上向き換気路によって、上方に開口し外気に連通した換気路が形成される。このため、エレベーターが設置された建物の火災等による煙がエレベーター昇降路に入ったときに、上昇する煙がかご室内に侵入する不具合を簡易な装置構成によって防ぐ効果がある。また、建物の火災発生によって制御装置を介して換気扇閉塞装置が付勢され、換気扇に関わる通気孔が閉塞される。したがって、昇降路の煙がかご室内に侵入する不具合を一層有効に防ぐ効果がある。
【００４４】
また、この発明は以上説明したように、縁部立面の外面と外側延長部の基部下面とによって形成される入隅部を塞いだ形状に配置された塞ぎ面を設けたものである。
【００４５】
これによって、かご床の縁部立面の上端部の側方換気路及び上方換気路か、又は側壁の下縁部の上向き換気路によって、上方に開口し外気に連通した換気路が形成される。このため、エレベーターが設置された建物の火災等による煙がエレベーター昇降路に入ったときに、上昇する昇降路の煙が塞ぎ面によって乱流を生じることなく滑らかに流れる。したがって、上昇する昇降路の煙がかご室内に侵入する不具合を簡易な装置構成によって防ぐ効果がある。
【図面の簡単な説明】
【図１】  この発明の実施の形態１を示す図で、後述する図１０相当図。
【図２】  この発明の実施の形態２を示す図で、図１相当図。
【図３】  この発明の実施の形態３を示す図で、図１相当図。
【図４】  この発明の実施の形態４を示す図で、図１相当図。
【図５】  この発明の実施の形態５を示す図で、図１相当図。
【図６】  図５の装置に対応した電気回路の要部を概念的に示す図。
【図７】  この発明の実施の形態６を示す図で、かご室の縦断面図。
【図８】  図７の装置に対応した電気回路の要部を概念的に示す図。
【図９】  従来のエレベーターのかご室装置を示すかご室の縦断面図。
【図１０】  図９のＡ部拡大図。
【符号の説明】
１  かご床、２  縁部立面、４  側壁、７  天井板、８  換気扇、９  通気孔、１１  外側延長部、１２  側方換気路、１３  上方延長部、１４  上方換気路、１５  塞ぎ面、１６  上向き換気路、１８  制御装置、１９  閉塞装置、２２換気扇閉塞装置。
【図１】
0004414538.tif 000002
【図２】
0004414538.tif 000003
【図３】
0004414538.tif 000004
【図４】
0004414538.tif 000005
【図５】
0004414538.tif 000006
【図６】
0004414538.tif 000007
【図７】
0004414538.tif 000008
【図８】
0004414538.tif 000009
【図９】
0004414538.tif 000010
【図１０】
0004414538.tif 000011